(57)【要約】【課題】構築の際の手間を省けると共にコスト下げることが可能で、しかも壁面近くを通過する人や自転車あるいは車両に対して危険な出っ張りのない壁面を実現する。【解決手段】金属製のＴ字形の支柱１を所定の間隔で立設し、柱状の木材５の長手方向の両端部に支柱１の約半分の形状を有する溝６を設けて、この木材５を横に寝かせて両端部を前記溝６により２本の支柱１の外側半分に嵌合させることで、複数本の木材５を支柱１間に垂直に積み上げ、同様に各支柱１間に木材５を積み上げることによって横方向に隣り合う木材５の互いの溝６により各支柱１を内包する構造とした。【選択図】図１
2007303214.tif 000002
【特許請求の範囲】
【請求項１】
所定の間隔で立設した金属製の支柱と、
長手方向の両端部に前記支柱の約半分の形状を有する溝を設けた柱状の木材を備え、
この木材を横に寝かせて両端部を前記溝により２本の支柱の外側半分に嵌合させることで、複数本の木材を支柱間に垂直に積み上げ、同様に各支柱間に木材を積み上げることによって横方向に隣り合う木材の互いの溝により各支柱を内包するようにした構造を有することを特徴とする木製壁。
【請求項２】
請求項１に記載の木製壁において、
前記支柱は、断面形状がＴ字形、十字形、Ｈ形のいずれかであることを特徴とする木製壁。
【請求項３】
請求項１記載の  請求項１に記載の木製壁において、
木材にブロック状の模様をつけたことを特徴とする木製壁。
【発明の詳細な説明】
【技術分野】
【０００１】
本発明は、横に寝かせて垂直に積み上げた木材とこの木材の両端を支える金属製の支柱を備えた木製壁に関するものである。
【背景技術】
【０００２】
従来のこの種の木製壁として、例えば、特許文献１に示される道路の遮音壁構造がある。
図９はこの遮音壁構造の正面図、図１０はその要部の横断平面図である。
両図に見られるようにこの構造は、横に寝かせて垂直に積み上げた木材１０１により構成される遮音パネル１０２の両端を、一定の間隔でコンクリート製の基礎１０３に下端を埋め込んで固定したＨ鋼１０４の溝に挿入し、また、遮音パネル１０２の両端には縦溝１０５を形成して、この縦溝１０５に遮音パネル１０２とＨ鋼１０４との隙間を閉塞するパッキン材１０６を嵌めこむと共に、遮音パネル１０２の外側に露出しているＨ鋼１０４の平行面に垂直木材１０７を連結金具により取り付けた構造としている。
【特許文献１】特開平９−２５６３２８号公報（段落「００１４」〜段落「００２２」、図６、図７）
【発明の開示】
【発明が解決しようとする課題】
【０００３】
しかしながら、上述した従来の技術においては、遮音パネルで形成される壁面の外側にＨ鋼が露出することによる危険を防止し、かつ美観を向上させるための垂直木材が必要であって、この垂直木材をＨ鋼に取り付けるには、垂直木材１本に付き複数の特殊な連結金具が必要であるため、取り付けに手間がかかるだけでなくコストも上昇し、しかも垂直木材が壁面からの出っ張りとなって、壁面近くを通過する人や自転車あるいは車両に対して危険になるというに問題がある。
【０００４】
本発明は、このような問題を解決することを課題とする。
【課題を解決するための手段】
【０００５】
そのため、本発明の木製壁は、所定の間隔で立設した金属製の支柱と、長手方向の両端部に前記支柱の約半分の形状を有する溝を設けた柱状の木材を備え、この木材を横に寝かせて両端部を前記溝により２本の支柱の外側半分に嵌合させることで、複数本の木材を支柱間に垂直に積み上げ、同様に各支柱間に木材を積み上げることによって横方向に隣り合う木材の互いの溝により各支柱を内包するようにした構造を有することを特徴とする。
【発明の効果】
【０００６】
このようにした本発明は、横方向に隣り合う木材の互いの溝により各支柱を内包する構造としているため、特殊な連結金具を用いて別の木材で支柱を隠す必要がなくなり、そのため構築の際の手間を省けると共にコスト下げることが可能になるという効果が得られ、しかも壁面近くを通過する人や自転車あるいは車両に対して危険な出っ張りのないフラットな壁面を実現できるという効果も得られる。
【発明を実施するための最良の形態】
【０００７】
以下、図面を参照して本発明による木製壁の実施例を説明する。
【実施例】
【０００８】
図１は第１の実施例を示す図で、（ａ）は平面図、（ｂ）は正面図、（ｃ）側面図である。
図において１は断面形状がＴ字形の金属製の支柱で、下端にプレート２を有し、このプレート２をアンカーボルト等の固定具３によりコンクリート製の長尺あるいはブロック状の基礎４により固定することで、支柱１は基礎４上に所定の間隔で複数立設されている。
【０００９】
尚、支柱１はＨ鋼を半分に切断することにより得られるが、初めからＴ字形に形成されたものでもよい。
また、基礎４は地中に埋め込まれたものでもよいし、また地上に置かれたものでもよく、更に、各種施設の一部等既存の構築物であってもよい。
５は一定の長さを有する柱状の木材で、長手方向の両端部に支柱１の形状であるＴの「一」の部分の約半分が嵌合する上下方向の溝６を有している。
【００１０】
この木材５には、予め防腐・防蟻等の薬剤（薬液）を注入しておくとよい。
本実施例は、このようにした木材５を横に寝かせて両端部を溝６により２本の支柱１の「一」の部分の外側半分に嵌合させることにより、複数本の木材５を支柱１間に垂直に積み上げ、同様に各支柱１間に木材５を積み上げることにより、横方向に隣り合う木材５の互いの溝６によって各支柱１を内包する木製壁を構築するもので、この木製壁を例えば防音・防風壁として道路に沿って構築する場合、あるいは各種のスポーツ競技上のスタンド周囲の防音・防風壁として構築する場合等には、各木材５の少なくとも１個所（図では２個所）に上下方向に貫通するボルト挿通孔を予め設けておき、支柱１間に木材５を積み上げる際、各木材５のボルト挿通孔に下方から長軸ボルト７を通し、その上端のネジ部にナットを螺合締結することで、積み上げた木材５を固定する。
【００１１】
このようにすることによって、地震等の衝撃に対して木材５が支柱１間から外れることを防止することができる。
尚、少なくとも最上部の木材５をボルト８で支柱１に固定することで、木材５が支柱１間から外れることをより確実に防止することが可能となる。
また、このような木製壁において、壁の端になる支柱１は半分が露出することになるが、この支柱１の半分を内包する溝を設けた端部用木材９をボルト８により複数箇所で固定して、壁の端になる支柱１を露出させないようにする。
【００１２】
これらのボルト８に対しては、埋木処理を施して表面に露出しないようにする。
更に、各木材５の上下面に凹凸を設けて嵌合させるものとする。
図２は各木材５の上下面に凹凸を設けて嵌合させる場合の一例を示す斜視図で、この図に示したように木材５の下面に長手方向に延在する凹部５ａを設け、上面には長手方向に延在する凸部５ｂを設けて、木材５を積み上げる際、上下の木材５の凹部５ａと凸部５ｂを嵌合させるようにする。
【００１３】
この凹部５ａと凸部５ｂの形状は、断面四角形に限らず、台形、円弧形、三角形等の任意の形状でよい。
このようにすることで防音・防風性を高めることができる。
以上説明した実施例によれば、柱状の木材の長手方向の両端面に溝を設け、この木材を横に寝かせて両端部を溝により２本の支柱の外側半分に嵌合させることにより、複数本の木材を支柱間に垂直に積み上げ、同様に各支柱間に木材を積み上げることによって横方向に隣り合う木材の互いの溝により各支柱を内包する構造としているため、特殊な連結金具を用いて別の木材で支柱を隠す必要がなくなり、そのため構築の際の手間を省けると共にコスト下げることが可能になるという効果が得られ、しかも壁面近くを通過する人や自転車あるいは車両に対して危険な出っ張りのないフラットな壁面を実現できるという効果も得られる。
【００１４】
尚、上述した実施例では、支柱１の形状であるＴの「Ｉ」の部分は横方向に隣り合う木材５の端面間に挟まれ、それによる端面間の隙間の部分で支柱１が木材５の外側から見えることになるが、僅かに見える程度であるので美観上問題となるほどではない。
図３は別の実施例を示す要部平面図、図４は図３の実施例における木材の端部を示す斜視図である。
【００１５】
この実施例は、図４に示したように木材５の端部にＬ字形つまりＴ字形の半分の形状を持つ溝１０を設け、図３に示したように横方向に隣り合う一方の木材５の端部を溝１０によりＴ字形の支柱１の外側半分に嵌合させ、他方の木材５の端部を溝１０によりＴ字形の支柱１の残り半分の外側に嵌合させたもので、このような構造とすることにより、横方向に隣り合う木材５の溝１０で支柱１を露出しないように内包することができ、美観が向上するものとなる。
【００１６】
図５は十字形にした支柱を使用する実施例を示す要部平面図である。
この実施例は、Ｔ字形の支柱１を溶接等により十字形に接合し、また木材５の端部に支柱１の接合面の厚さに対応する幅でかつ溝６と同形状の溝１１を設けて、横方向に隣り合う一方の木材５の端部を溝１０により十字形に接合した２つの支柱１の外側約半分に嵌合させ、他方の木材５の端部を溝１０によりＴ字形の支柱１の残り半分の外側に嵌合させたもので、このような構造とすることにより、支柱１の強度ひいては壁全体の強度を高めることができる。
【００１７】
図６は十字形にした支柱を使用する別の実施例を示す要部平面図である。
この実施例は、Ｔ字形の支柱１を溶接等により十字形に接合し、また木材５の端部に支柱１のＴ字形つまり十字形の半分の形状を持つ溝１２を設け、横方向に隣り合う一方の木材５の端部を溝１２により十字形に接合した２つの支柱１の外側半分に嵌合させ、他方の木材５の端部を溝１０により十字形に接合した２つの支柱１の残り半分の外側に嵌合させたものである。
【００１８】
このような構造とすることにより、横方向に隣り合う木材５の溝１２で支柱１を露出しないように内包することができるで美観が向上し、しかも支柱１の強度ひいては壁全体の強度を高めることができる。
図７はＨ鋼による支柱を使用する実施例を示す要部平面図である。
この実施例は、Ｈ鋼を支柱１とし、また木材５の端部に支柱１のコの字形つまりＨ字形の半分の形状を持つ溝１３を設け、横方向に隣り合う一方の木材５の端部を溝１３によりＨ鋼である支柱１の外側半分に嵌合させ、他方の木材５の端部を溝１３によりＨ鋼である支柱１の残り半分の外側に嵌合させたもので、このような構造とすることにより、横方向に隣り合う木材５の溝１３で支柱１を露出しないように内包することができるで美観が向上し、支柱１の強度ひいては壁全体の強度を高めることができる。
尚、図３〜図７の各実施例において、支柱１の固定、木材５の積み上げ及び固定は図１の図２の実施例と同様に行われることは無論である。
【００１９】
図８は本発明を家屋周囲の塀として使用する場合の実施例を示す図で、（ａ）は正面図、（ｂ）は側面図である。
この実施例の基本的な構造は図１で説明した実施例と同様であるが、支柱１の下端はコンクリート製のブロック状の基礎４に埋設されて固定されていて、この基礎４は地中に埋められている。
【００２０】
このようにブロック状の基礎４に下端を埋設して所定の間隔で立設され支柱１間に端部に溝６を設けた木材５を上述した図１の実施例と同様に積み上げて、その最上部に例えば断面形状が略５角形の笠木１４を重ね、その際、予め各木材５及び笠木１４の少なくとも１個所（図では２個所）に設けた上下方向に貫通するボルト挿通孔に下方から長軸ボルト７を通して、その上端のネジ部にナットを螺合締結することで、積み上げた木材５及び笠木１４を固定し、更に少なくとも最上部の木材５をボルト８で支柱１に固定する。
【００２１】
この場合、予め各木材５の前後の表面に適当な間隔で縦方向に浅い溝を設けると共に、また上下の角部にも同様に浅い溝を設けてブロック状の模様をつくりその模様に白色等で着色する。
このようにすることで防音・防風、及び美観に優れた塀を構築することができる。
尚、支柱１は、断面形状がＴ字形のものに限らず、十字形、Ｈ形のいずれのものでもよく、その場合これらの形状に対応して木材５の端部に溝１０〜１３のいずれか設ければよい。
【００２２】
以上、本発明の実施例について説明したが、本発明の木製壁は、防音・防風壁や塀に限らず、例えば、ビルや住宅等において、大きな部屋を複数の部屋に仕切る場合の壁として利用することも可能である。
【図面の簡単な説明】
【００２３】
【図１】発明の一実施例を示す図
【図２】上下面に凹凸を設けた木材の一例を示す図
【図３】別の実施例を示す要部平面図
【図４】図３の実施例における木材の端部を示す斜視図
【図５】十字形にした支柱を使用する実施例を示す要部平面図
【図６】十字形にした支柱を使用する別の実施例を示す要部平面図
【図７】Ｈ鋼の支柱を使用する実施例を示す要部平面図
【図８】塀として利用する実施例を示す図
【図９】従来技術を示す正面図
【図１０】従来技術の要部の横断平面図  １    支柱  ２    プレート  ３    アンカーボルト  ４    基礎  ５    木材  ５ａ  凹部  ５ｂ  凸部  ６    溝  ７    長軸ボルト  ８    ボルト  ９    端部用木材  １０〜１３  溝  １４  笠木
【図１】
2007303214.tif 000003
【図２】
2007303214.tif 000004
【図３】
2007303214.tif 000005
【図４】
2007303214.tif 000006
【図５】
2007303214.tif 000007
【図６】
2007303214.tif 000008
【図７】
2007303214.tif 000009
【図８】
2007303214.tif 000010
【図９】
2007303214.tif 000011
【図１０】
2007303214.tif 000012